【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
低空飛行昆虫が戸外区域に入るのを防ぐための、上記区域を少なくとも部分的に囲む実質的に垂直な構造体を有し、ここで、上記構造体は低空飛行昆虫が上記戸外区域に入るのを防ぐのに好適な高さをもち、そして上記構造体の少なくとも一部に、当該構造体の当該少なくとも一部に触れた昆虫に移行されうる殺虫剤が提供されている柵であって、当該構造体の当該少なくとも一部の長期にわたる殺虫効果のための当該構造体の当該少なくとも一部の内部から当該構造体の当該少なくとも一部の表面への当該殺虫剤の緩やかな移動を目的として、含浸及び/又は取り込みによって当該構造体の当該少なくとも一部に上記殺虫剤が含まれていることを特徴とする前記柵。
【請求項２】
前記柵が地面の上に支持され、かつ、前記構造体が這う昆虫及び表土を横切る昆虫が前記区域に入るのを防ぐために地中まで延びた接地部分を含む、請求項1に記載の柵。
【請求項３】
前記構造体は、地面を這う昆虫が前記柵を通過することを可能にするために、地面から一定の高さ、好ましくは地上5 cm〜20 cmに配置された下端をもつ、請求項１に記載の柵。
【請求項４】
前記構造体が、昆虫を捕獲するために凹型の構造に湾曲している上部を含み、ここで、上記上部が、当該上部に触れた昆虫に移行されうる殺虫剤を含んでいる、請求項1〜3のいずれか1項に記載の柵。
【請求項５】
前記上部が、昆虫誘引剤、好ましくはフェロモン又はルアーリングを含む、請求項4に記載の柵。
【請求項６】
前記上部が、前記構造体の殺虫剤と異なる殺虫剤を含む、請求項4又は5に記載の柵。
【請求項７】
前記柵が、堅く実質的に垂直な枠部材であって、その間に前記構造体が付着されているものを含む、請求項1〜5のいずれか1項に記載の柵。
【請求項８】
前記低空飛行昆虫が前記構造体を通過するのを防ぐための前記柵が、上記構造体の穴のサイズが上記昆虫より小さい、堅い壁、ホイル、織物、穴を開けたホイル又は積層板、及びメッシュから成る群の中の少なくとも1つを含む、請求項1〜7のいずれか1項に記載の柵。
【請求項９】
前記構造体が、重合体繊維製の網であり、そして当該構造体の長期にわたる殺虫効果のための当該構造体内部から当該構造体表面への前記殺虫剤の緩やかな移動を目的として当該重合体繊維に取り込まれた殺虫剤を伴う、請求項1〜8のいずれか1項に記載の柵。
【請求項１０】
前記構造体が、当該構造体の長期にわたる殺虫効果のための当該構造体内部から当該構造体表面への前記殺虫剤の緩やかな移動を目的として殺虫剤を含浸させた重合体繊維製の網である、請求項1〜9のいずれか1項に記載の柵。
【請求項１１】
前記殺虫剤が、ピレスロイド・ベースの殺虫剤、有機リン・ベースの殺虫剤、カルバメート・ベースの殺虫剤、及びマダニ又はダニに作用する殺虫剤、並びに昆虫又はコナダニに対する不妊化効果又は増殖調節効果をもつ殺虫剤を含む群の中の少なくとも1つを含む、請求項1〜10のいずれか1項に記載の柵。
【請求項１２】
前記ピレスロイド化合物が、以下の：
・エトフェンプロックス：2-(4-エトキシフェニル)-2-メチルプロピル-3-フェノキシベンジル−エーテル、
・フェンバレラート：(RS)-α-シアノ-3-フェノキシベンジル(RS)-2-(4-クロロフェニル)-3-メチルブチラート、
・エスフェンバレラート：(S)-α-シアノ-3-フェノキシベンジル(S)-2-(4-クロロフェニル)-3-メチルブチラート、
・フェンプロパトリン：(RS)-α-シアノ-3-フェノキシベンジル-2,2,3,3-テトラメチルシクロプロパンカルボキシラート、
・シペルメトリン：(RS)-α-シアノ-3-フェノキシベンジル(1RS)-cis,trans-3-(2,2-ジクロロビニル)-2,2-ジメチルシクロプロパンカルボキシラート、
・ペルメトリン：3-フェノキシベンジル(1RS)-cis,trans-3-(2,2-ジクロロビニル)-2,2-ジメチルシクロプロパンカルボキシラート、
・シハロトリン：(RS)-α-シアノ-3-フェノキシベンジル(Z)-(1RS)-cis-3-(2-クロロ-3,3,3-トリフルオロプロパ-1-エニル)-2,2-ジメチルシクロプロパンカルボキシラート、
・デルタメトリン：(S)-α-シアノ-3-フェノキシベンジル(1R)-cis-3-(2,2-ジブロモビニル)-2,2-ジメチルシクロプロパンカルボキシラート、
・シクロプロトリン：(RS)-α-シアノ-3-フェノキシベンジル(RS)-2,2-ジクロロ-1-(4-エトキシフェニル)シクロプロパンカルボキシラート、
・フルバリナート：(α-シアノ-3-フェノキシベンジル-N-(2-クロロ-α,α,α-トリフルオロ-p-トリル)-D-バリナート)、
・ビフェントリン：(2-メチルビフェニル-3-イルメチル)O(Z)-(1RS)-cis-3-(2-クロロ-3,3,3-トリフルオロ-1-プロペニル)-2,2-ジメチルシクロプロパンカルボキシラート、
・2-メチル-2-(4-ブロモジフルオロメトキシフェニル)プロピル−(3-フェノキシベンジル)エーテル、
・トラロメトリン：(S)-α-シアノ-3-フェノキシベンジル(1R-cis)-3-((1'RS)(1',2',2',2'-テトラブロモエチル))-2,2-ジメチルシクロプロパンカルボキシラート、
・シラフルオフェン：4-エトキシフェニル(3-(4-フルオロ-3-フェノキシフェニル)プロピル)ジメチルシラン、
・D-フェノトリン：3-フェノキシベンジル(1R-cis,trans)-クリサンテマート、
・シフェノトリン：(RS)-α-シアノ-3-フェノキシベンジル(1R-cis,trans)-クリサンテマート、
・D-レスメトリン：5-ベンジル-3-フリルメチル(1R-cis,trans)-クリサンテマート、
・アクリナトリン：(S)-α-シアノ-3-フェノキシベンジル(1R-cis(Z))-(2,2-ジメチル-3-(オキソ-3-(1,1,1,3,3,3-ヘキサフルオロプロピルオキシ)プロペニル)シクロプロパンカルボキシラート、
・シフルトリン：(RS)-α-シアノ-4-フルオロ-3-フェノキシベンジル-3-(2,2-ジクロロビニル)-2,2-ジメチルシクロプロパンカルボキシラート、
・テフルトリン：2,3,5,6-テトラフルオロ-4-メチルベンジル(1RS-cis(Z))-3-(2-クロロ-3,3,3-トリフルオロプロパ-1-エニル)-2,2-ジメチルシクロプロパンカルボキシラート、
・トランスフルトリン：2,3,5,6-テトラフルオロベンジル(1R-trans)-3-(2,2-ジクロロビニル)-2,2-ジメチルシクロプロパンカルボキシラート、
・テトラメトリン：3,4,5,6-テトラヒドロフタルイミドメチル(1RS)-cis,trans-クリサンテマート、
・アレトリン：(RS)-3-アリル-2-メチル-4-オキソシクロペンタ-2-エニル(1RS)-cis,trans-クリサンテマート、
・プラレトリン：(S)-2-メチル-4-オキソ-3-(2-プロピニル)シクロペンタ-2-エニル(1R)-cis,trans-クリサンテマート、
・エムペントリン：(RS)-1-エチニル-2-メチル-2-ペンテニル(1R)-cis,trans-クリサンテマート、
・イミプロトリン：2,5-ジオキソ-3-(プロパ-2-イニル)イミダゾリジン-1-イルメチル(1R)-cis,trans-2,2-ジメチル-3-(2-メチル-1-プロペニル)-シクロプロパンカルボキシラート、
・D-フラメトリン：5-(2-プロピニル)-フルフリル(1R)-cis,trans-クリサンテマート、及び5-(2-プロピニル)フルフリル-2,2,3,3-テトラメチルシクロプロパンカルボキシラート;好ましくは、デルタメトリン、エトフェンプロックス、アルファシペルメトリン、ラムダシハロトリン、及びシフルトリンから成る群の中の少なくとも1つを含み、前記カルバメート化合物が、以下の：
・アラニカルブ：S-メチル-N-[[N-メチル-N-[N-ベンジル-N-(2-エトキシ-カルボニルエチル)アミノチオ]カルバモイル]チオアセトイミダート、
・ベンジオカルブ：2,2-ジメチル-1,3-ベンゾジオキソール-4-イル-メチルカルバマート、
・カルバリル：1-ナフチル-N-メチルカルバマート、
・イソプロカルブ：2-(1-メチルエチル)フェニル−メチルカルバマート、
・カルボスルファン：2,3-ジヒドロ-2,2-ジメチル-7-ベンゾフラニル[(ジブチルアミノ)チオ]メチルカルバマート、
・フェノキシカルブ：エチル[2-(4-フェノキシフェノキシ)エチル]カルバマート、
・インドキサカルブ：メチル-7-クロロ-2,3,4a,5-テトラヒドロ-2-[メトキシカルボニル(-4-トリフルオロメトキシフェニル)]、
・プロポキスル：2-イソプロピルオキシフェノール−メチルカルバマート、
・ピリミカルブ：2-ジメチルアミノ-5,6-ジメチル-4-ピリミジニル-ジメチルカルバマート、
・チジオカルブ：ジメチル-N,N'-(チオビス((メチルイミノ)カルボノイルオキシ)ビスエタンイミジオチオアート)、
・メトミル：S-メチル-N-((メチルカルバモイル)オキシ)チオアセトアミダート、
・エチオフェンカルブ：2-((エチルチオ)メチル)フェニル−メチルカルバマート、
・フェノチオカルブ：S-(4-フェノキシブチル)-N,N-ジメチル−チオカルバマート、
・カルタプ：S,S'-(2,5-ジメチルアミノ)トリメチレン)ビス(チオカルバマート)ハイドロクロライド、
・フェノブカルブ：2-sec-ブチルフェニルメチル−カルバマート、3,5-ジメチルフェニル-メチル−カルバマート、及び
・キシリルカルブ：3,4-ジメチルフェニルメチルカルバマート、
から成る群の中の少なくとも1つを含み、前記有機リン化合物が、以下の：
・フェニトロチオン：O,O-ジメチル-O-(4-ニトロ-m-トリル)ホスホロチオアート、
・ジアジノン：O,O-ジエチル-O-(2-イソプロピル-6-メチル-4-ピリミジニル)ホスホロチオアート、
・ピリダフェンチオン：O-(1,6-ジヒドロ-6-オキソ-1-フェニルピラジジン-3-イル)O,O-ジエチル−ホスホロチオアート、
・ピリミホス-エチル：O,O-ジエチル-O-(2-(ジエチルアミノ)-6-メチル-ピリミジニル)ホスホロチオアート、
・ピリミホス-メチル：O-[2-(ジエチルアミノ)-6-メチル-4-ピリミジニル]O,O-ジメチル−ホスホロチオアート、
・エトリンホス：O-6-エトキシ-2-エチル-ピリミジン-4-イル-O,O-ジメチル-ホスホロチオアート、
・フェンチオン：O,O-ジメチル-O-[-3-メチル-4-(メチルチオ)フェニル−ホスホロチオアート、
・ホキシム：2-(ジエトキシホスフィノチオイルオキシイミノ)-2-フェニルアセトニトリル、
・クロルピリホス：O,O-ジエチル-O-(3,5,6-トリクロロ-2-ピリニル)ホスホロチオアート、
・クロルピリホス-メチル：O,O-ジメチル-O-(3,5,6-トリクロロ-2-ピリジニル)ホスホロチオアート、
・シアノホス：O,O-ジメチル-O-(4-シアノフェニル)ホスホロチオアート、
・ピラクロホス：(R,S)[(4-クロロフェニル)-ピラゾール-4-イル]-O-エチル-S-n-プロピル−ホスホロチオアート、
・アセファート：O,S-ジメチル−アセチルホスホロアミドチオアート、
・アザメチホス：S-(6-クロロ-2,3-ジヒドロ-オキソ-1,3-オキサゾロ[4,5-b]ピリジン-3-イルメチル−ホスホロチオアート、
・マラチオン：ジエチル−メルカプトスクシナートのO,O-ジメチル−ホスホロジチオアート−エステル、
・テメホス：(O,O'-(チオジ-4-1-フェニレン)-O,O,O,O-テトラメチル−ホスホロジチオアート、
・ジメトアート：((O,O-ジメチル-S-(n-メチルカルバモイルメチル)ホスホロジチオアート、
・フォルモチオン：S[2-ホルミルメチルアミノ]-2-オキソエチル]-O,O-ジメチル−ホスホロジチオアート、及び
・フェントアート：O,O-ジメチル-S-(α-エトキシカルボニルベンジル)-ホスホロジチオアート、
から成る群の中の少なくとも1つを含み、前記マダニ又はダニに作用する殺虫剤が、以下の：
・ネオニコチオイド、例えばアセトアミジプリド及びイミダクロプリド：1-(6-クロロ-3-ピリジルメチル)-N-ニトロ-2-イミダゾリジンイミン、
・ピリジン、例えばピリプロキシフェン：2-[1-+メチル-2-(4-フェノキシフェノキシ)エトキシ]ピリジン、
・ピリミジン、例えばピリミジフェン：5-クロロ-N-(2,-[4-(2-エトキシエチル)-2,3-ジメチル-フェノキシ]-エチル)6-エチルピリミジン-4-アミン、
・キナゾリネル、例えばフェナザキン：4-[[-(1,1-ジメチルエチル)フェニル、ピラゾール及びフェニル、
・ピラゾール、例えばジヒドロピラゾール、フィプロニル、テブフェンピラド及びフェンピロプロキシマート：1,1-ジメチルエチル-4-[[[[(1,3-ジメチル-5-フェノキシ-1H-ピラゾール-4-イル)-メチレン]アンモ]オキシ]メチル]ベンゾアート]、
・ピラゾネル、例えばテブフェンピラド、
・カルボニトリル、例えばバニリプロール、
・ヒドラジン、例えばテブフェノジド、
・ヒドラゾン、
・アゾメチン、
・ジフェニル、例えばビフェナザート、
・ベンゾイル尿素、及びその誘導体、
から成る群の中の少なくとも1つを含み、そして前記不妊化又は増殖調節効果をもつ殺虫剤が、以下の：
・(アルファ-4-(クロロ-α-シクロプロピルベンジリデンアミノ-オキシ)-p-トリル)-3-(2,6-ジフロウロベンゾイル)尿素、
・ジフルベンズロン：N-(((3,5-ジクロロ-4-(1,1,2,2-テトラフロウロエトキシ)フェニルアミノ)カルボニル)2,6-ジフロウロ−ベンズアミド、
・トリフルムロン：2-クロロ-N-(((4-(トリフロウロメトキシ)フェニル)-アミノ-)カルボニル)ベンズアミド、及び
・トリアジン、例えばN-シクロプロピル-1,3,5-トリアジン-2,4,6-トリアミン、
から成る群の中の少なくとも1つを含む、請求項11に記載の柵。
【請求項１３】
前記構造体が、前記殺虫剤の分解を防ぐために紫外線防護材料及び紫外線耐性材料を含む、請求項1〜12のいずれか1項に記載の柵。
【請求項１４】
前記構造体が、紫外線放射による当該構造体の分解を防ぐための紫外線防護材料及び紫外線耐性材料を含む、請求項1〜13のいずれか1項に記載の柵。
【請求項１５】
前記構造体が、昆虫誘引剤、好ましくはルアー、フェロモン又はフェロモン模倣物を含む、請求項1〜14のいずれか1項に記載の柵。
【請求項１６】
前記構造体が、事前に選ばれた特定の害虫を誘引する色である、請求項1〜15のいずれか1項に記載の柵。
【請求項１７】
前記構造体が、特定の昆虫に見えない黒色である、請求項1〜16のいずれか1項に記載の柵。
【請求項１８】
前記構造体の高さが、0.5 m〜2 mである、請求項1〜17のいずれか1項に記載の柵。
【請求項１９】
牧場、農地、村落、難民キャンプ、子供の遊び場、運動場、スイミングプール、市場、建物、例えば病院、又は学校から成る群の中の少なくとも1つを囲むための、請求項1〜18のいずれか1項に記載の柵の使用方法。